(57)【特許請求の範囲】
【請求項１】
下端にキャスタを備え、左右に所定間隔離間して平行に前後方向に延びる左右一対のベース部材と、これらベース部材上に上下方向に１本立設する左右一対の支杆と、前記支杆に取付けられ、物品収納箱を載置可能な前後方向に延びる複数段の載置フレームと、を備え、
前記左右の支杆は、上下方向に複数架設された横杆部材により連結され、当該横杆部材は、その左右長を調整できる伸縮手段を有しており、
前記載置フレームは、前記支杆に対して、所定角度前傾し、かつ、前後方向に自由端が延出するように、それぞれ取付けられており、
左右の前記ベース部材と前記支杆と前記キャスタと最下端の前記横杆部材とにより、前後方向に開放する下向きコ字状の開口部が形成されていることを特徴とする陳列什器。
【発明の詳細な説明】
【技術分野】
【０００１】
本発明は、商品を入れて納品された複数の物品収納箱を載置可能な陳列什器に関する。
【背景技術】
【０００２】
スーパーやコンビニ等の商店で用いられる商品を陳列する什器として、特に商品の入った搬入用のコンテナ（物品収納箱）をそのまま載置し、物品の陳列に供するものがある。例えば特許文献１に示される陳列什器は、下端にキャスタを備えて前後に延び、左右に所定間隔離間する左右一対の角棒部材と、これら角棒部材上のそれぞれ前後方向中程に立設する左右一対の側枠と、これら側枠の間に取付けられたコンテナを載置して支持する載置部と、を有しており、載置部にコンテナを載置した状態でバックヤードと店内とを行き来させることができるようになっている。
【先行技術文献】
【特許文献】
【０００３】
【特許文献１】実用新案登録第３１８４９９７号公報（第４頁、第１図）
【発明の概要】
【発明が解決しようとする課題】
【０００４】
このような陳列什器は、不使用時にはバックヤードに移動されて、複数台並べて保管されることになるが、特許文献１に記載の陳列什器は、載置部が側枠及び横杆部材により囲まれた領域に水平に構成されているため、前後にネスティングする際に、後方の陳列什器の載置部前端側が前方の陳列什器の載置部後端側に干渉してしまい、複数の陳列什器を保管するために広いスペースを必要としていた。
【０００５】
本発明は、このような問題点に着目してなされたもので、コンパクトにネスティング可能な陳列什器を提供することを目的とする。
【課題を解決するための手段】
【０００６】
前記課題を解決するために、本発明の陳列什器は、
下端にキャスタを備え、左右に所定間隔離間して平行に前後方向に延びる左右一対のベース部材と、これらベース部材上に上下方向に１本立設する左右一対の支杆と、前記支杆に取付けられ、物品収納箱を載置可能な前後方向に延びる複数段の載置フレームと、を備え、
前記左右の支杆は、上下方向に複数架設された横杆部材により連結され、当該横杆部材は、その左右長を調整できる伸縮手段を有しており、
前記載置フレームは、前記支杆に対して、所定角度前傾し、かつ、前後方向に自由端が延出するように、それぞれ取付けられており、
左右の前記ベース部材と前記支杆と前記キャスタと最下端の前記横杆部材とにより、前後方向に開放する下向きコ字状の開口部が形成されていることを特徴としている。
この特徴によれば、載置フレームが前傾していることから、前後にネスティングされた
陳列什器の載置フレーム同士が一部上下に重なるため、前後にネスティングされた陳列什器における支杆や横杆部材同士を近接させることができることに加え、横杆部材を左右方
向に縮めることで陳列什器自体を小さくできるため、並べて収納される陳列什器をコンパクトにネスティングできる。また、支杆の前後幅が小さく、支杆や横杆部材同士を近接させることができる。
【０００８】
前記横杆部材は、前記支杆の上下方向に複数架設されていることを特徴としている。
この特徴によれば、支杆同士が複数箇所で連結され、陳列什器の強度が確保されている。
【０００９】
左右の前記ベース部材と前記支杆と前記キャスタと最下端の前記横杆部材とにより、下向きコ字状の開口部が形成されていることを特徴としている。
この特徴によれば、開口部内には、コンテナやコンテナを載置可能な台車等を収納可能であり、店内における陳列自由度が高くなっている。
【図面の簡単な説明】
【００１０】
【図１】実施例１における陳列什器を示す側面図である。
【図２】実施例１における陳列什器を示す正面図である。
【図３】実施例１における陳列什器の伸縮手段による伸縮状態を説明する図である。
【図４】実施例１における陳列什器がネスティングされた状態を示す側面図である。
【図５】実施例１における陳列什器がネスティングされた状態を示す上面図である。
【図６】実施例１における陳列什器がネスティングされ、かつ伸縮手段により陳列什器の左右寸法が小さくされた状態を示す上面図である。
【図７】伸縮手段における変形例を示す図である。
【図８】実施例２における陳列什器を示す側面図である。
【図９】実施例２における陳列什器がネスティングされた状態を示す側面図である。
【発明を実施するための形態】
【００１１】
本発明に係る陳列什器を実施するための形態を実施例に基づいて以下に説明する。
【実施例１】
【００１２】
実施例１に係る陳列什器につき、図１から図６を参照して説明する。以下、図１の紙面左側を陳列什器の正面側（前方側）として説明する。
【００１３】
図１及び図２に示されるように、陳列什器１は、スーパーやコンビニ等の商店で主に使用される陳列什器であって、左右に所定間隔離間する左右一対の前後に延びるベース部材２，２と、これらベース部材２，２上にそれぞれ立設される左右一対の支杆３，３と、これら支杆３，３にそれぞれ取付けられ、物品収納箱（コンテナＣ）を載置可能な左右一対の載置フレーム４（４Ａ，４Ｂ，４Ｃ，４Ｄ）とを備えて主に構成されている。
【００１４】
ベース部材２及び支杆３は、断面略矩形状の中空杆で構成されており、支杆３の下端がベース部材２の長手方向の正面寄り中程に固定されている。支杆３は、上端が背面方向に倒れ込むように後傾しており、ベース部材２の長手方向の背面寄りから正面方向に傾斜して固定される支え部材５により背面方向から補助的に支持されている。
【００１５】
載置フレーム４は、鉄板を長手方向に沿って断面視略Ｌ字状に屈曲して形成される本体部４ａと、本体部４ａの前端に板片が溶接されて形成されたストッパー部４ｂとから主に構成されている。左右の載置フレーム４，４上に傾斜状態で載置されたコンテナＣは、その前端がストッパー部４ｂに係止されて支持されるようになっている。
【００１６】
載置フレーム４は、正面側が下がるように所定角度前傾した状態で、支杆３に固定されている。載置フレーム４は、本体部４ａにおける立ち上がり片４ｃの外側面４ｄが、その長手方向中程で図示しないビスにより支杆３の内側面に固定されている。載置フレーム４は支杆３，３における上下方向の対称位置にそれぞれ各４つ固定され、コンテナＣを支持可能な棚部を４段構成している。
【００１７】
左右の支杆３，３は、その上下方向に３本架設された横杆部材６，６，６により連結されている。横杆部材６，６，６は、最上段の載置フレーム４Ａの下と、下から２段目の載置フレーム４Ｃの下と、最下段の載置フレーム４Ｄの下とにそれぞれ配置されている。
【００１８】
ベース部材２の長手方向両端の下面にはキャスタ７が固定されており、陳列什器１が床面上を走行移動可能となっている。
【００１９】
横杆部材６は、一方の支杆３に長手方向端部を固着された中空構造の中子杆８Ａと、他方の支杆３に長手方向端部を固着された中空構造の中子杆８Ｂと、これら中子杆８Ａ，８Ｂより太径である中空杆９と、から主に構成されている。
【００２０】
中空杆９は、中子杆８Ａと中子杆８Ｂとの間に配置され、中空杆９の両端部に中子杆８Ａと中子杆８Ｂの対向する端部がそれぞれ嵌入され、入れ子状に連結されている。中空杆９には長手方向に沿って形成される長孔１１，１１と、中子杆８Ａと固定する為の図示しない丸孔とが設けられている。尚、長孔１１，１１の短手方向の幅は、後述するボルト１３のボルト頭１３ａの直径より短い寸法となっている。詳しくは図示しないが、内側の中子杆８Ａ，８Ｂには、丸孔が穿設され、これら丸孔と対応する位置で中子杆８Ａ，８Ｂの内側にナットがそれぞれ溶接され、前述のボルト１３が螺合可能となっている。中空杆９と中子杆８Ａとは対向する端部が入れ子状に重ねられた状態でボルト１３の螺合により固定されている。
【００２１】
中空杆９と中子杆８Ｂとは、対向する端部同士が入れ子状に重ねられた状態で、ボルト１３，１３が長孔１１，１１及び丸孔とを介してナットとそれぞれ螺合し、ボルト頭１３ａとナットとにより中空杆９及び中子杆８Ｂが挟圧されることで、連結されている。
【００２２】
横杆部材６には、その左右長さを調整できる伸縮手段が備えられており、伸縮手段は、ボルト１３とナットとの締結を緩めた状態とし、長孔１１，１１をボルト１３の首部（図示せず）に案内させるようにして外側の中空杆９を内側の中子杆８Ｂに対して相対移動させることで、外側の中空杆９と内側の中子杆８Ｂとの重なり量を変更できるようになっているものである。
【００２３】
この伸縮手段により、左右の支杆３，３同士の距離、即ち対向する載置フレーム４，４間の距離を調整することで、寸法違いの種々のコンテナＣをその寸法に合わせた状態で載置フレーム４，４間に載置して支持させることができるようになっている。
【００２４】
また、上述したように、支杆３が支え部材５により斜め下方から支持されていることから、横からの煽りに対する支杆３の強度が高められているため、支杆３の下端側に横杆部材６を取り付ける必要がない。そのため、最下端の横杆部材６と左右の支杆３，３とベース部材２，２とにより、下向きコ字状の開口部Ｓが形成される。この開口部Ｓ内には、コンテナＣやコンテナＣを載置可能な台車Ｄ等を収納することができ、収納効率が高められている。
【００２５】
また、前述した支え部材５には、左右の支え部材５，５の対向方向に向けて突出するようにストッパー片（ストッパー）１２，１２がそれぞれ固定されており、開口部Ｓ内に収納した台車Ｄの通り抜けを防止して収納作業を容易に行うことができるようになっている。
【００２６】
陳列什器１の不使用時には、図４及び図５に示されるように、前方のベース部材２，２と後方のベース部材２’，２’同士が並列するように左右にずらした状態で複数の陳列什器１，１’を前後に並べることで、後方の陳列什器１’の一方のベース部材２’が前方の陳列什器１の開口部Ｓ内に入り、コンパクトにネスティングすることができるようになっている。
このように、前方のベース部材２，２と後方のベース部材２’，２’との前後端部同士が前後に当接しない構造となっているため、図４に示されるように、後方の陳列什器１’の最上段の載置フレーム４Ａ’が前方の陳列什器１の一番上の横杆部材６に当接するまで互いの陳列什器１，１’を近接させることができるようになっている。尚、このように最上段の載置フレーム４Ａと一番上の横杆部材６とが当接することから、複数の陳列什器１，１’，…をネスティングされたまま安定して移動させることができる。
【００２７】
また、上述したように、載置フレーム４，４，…が支杆に対して前傾して取付けられているため、載置フレーム４の前後端同士が水平に当接することがないとともに、前後の陳列什器１，１’の載置フレーム４同士が左右に干渉せず、前後で載置フレーム４同士が一部重なるようにネスティングされるため、前後にネスティングされた陳列什器１，１’における支杆３や横杆部材６同士を近接させ、よりコンパクトなネスティングが可能となっている。
【００２８】
更に、図６に示されるように、横杆部材６を左右方向に縮めることで陳列什器１自体の左右寸法を小さくできるため、並べて収納される陳列什器１をコンパクトにネスティングでき、バックヤードの収納効率を高めることができる。
【００２９】
また、図１に示されるように、陳列什器１は、ベース部材２の前後寸法内に載置フレーム４，４，…が収まるような構造となっているため、その収容時において前後端を壁面に近接させることができ、省スペースである。
【００３０】
尚、横杆部材の伸縮機能については、上記した構成に限らず、種々の構成を採用可能であり、例えば図７の変形例に示されるように、長孔に代わり４つ丸孔（１１Ａ’，１１Ｂ’，１１Ｃ’，１１Ｄ’）を設け、いずれかの丸孔１１Ａ’，１１Ｂ’，１１Ｃ’，１１Ｄ’を選択してボルト１３’を螺挿することで横杆部材６’の長さ寸法を調節できるようにしてもよい。これによれば、ボルト１３’の首部（図示せず）に丸孔が当接して、中空杆９’と中子杆８Ｂ’との相対移動が規制されるため、陳列什器１’の移動時の振動等によるボルト１３’の緩みに関わらず、対向する載置フレーム４，４同士の距離が不意に開いてしまうことがなく、載置フレーム４，４上のコンテナＣの脱落を確実に防止できる。
【実施例２】
【００３１】
次に、実施例２に係る陳列什器につき、図８及び図９を参照して説明する。尚、前記実施例と同一構成で重複する構成の説明を省略する。
【００３２】
図８に示されるように、陳列什器１０の支杆３０は、円筒状の杆部材が下向き略Ｕ字状に屈曲されて形成され、その両端がベース部材２０にそれぞれ固定されて立設されている。前方側の枠３０Ａと後方側の枠３０Ｂに亘り載置フレーム４０（４０Ａ，４０Ｂ，４０Ｃ，４０Ｄ）が固定されている。
【００３３】
左右の支杆３０は、上下方向に３本架設された横杆部材６０，６０，６０により連結されている。横杆部材６０，６０，６０は、最上段の載置フレーム４０Ａの下で前方側の枠３０Ａに、下から２段目の載置フレーム４０Ｃの下で後方側の枠３０Ｂに、最下段の載置フレーム４０Ｄの下で前方側の枠３０Ａに、それぞれ配置されている。
【００３４】
図９に示されるように、陳列什器１０の不使用時には、前後のベース部材２０，２０’同士が並列するように左右にずらした状態で複数の陳列什器１０を前後に並べることで、図示しないが、後方の陳列什器１０’の一方のベース部材２０’が前方の陳列什器１０の開口部Ｓ内に入った状態となり、後方の陳列什器１０’の最下段から１つ上の載置フレーム４０Ｄ’が前方の陳列什器１０の上下中間の横杆部材６０に当接するまで互いの陳列什器１０，１０を近接させることができるようになっている。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、実施例１では、左右のベース部材２，２上に支杆３，３をそれぞれ１本ずつ立設させる構成を、実施例２では、下向き略Ｕ字状に屈曲された支杆３０，３０をそれぞれ立設させる構成を説明したが、これらの構成に限らず、例えば左右のベース部材上に支杆をそれぞれ２本ずつ立設させ、これらを杆部材により連結させた構成でもよい。
【００３７】
また、支杆とベース部材とを別々の部材で形成する構成に限らず、例えば樹脂等を用いて一体に形成することで強度を高めてもよい。
【００３８】
また、横杆部材の有する伸縮手段は、上記した入れ子状の構成に限らず、例えば回動自在な関節を有する構成とし、関節の角度を調整することで支杆同士の距離を調整できるようにしたものであってもよい。
【００３９】
また、上記実施例において、ネスティング時には、後方の陳列什器の載置フレームが前方の陳列什器の横杆部材に当接する構成となっているが、これに限らず、これらの載置フレームと横杆部材とが当接しないように、載置フレーム及び横杆部材の上下位置を調整することで、前後の載置フレーム同士が当接するまで陳列什器同士を近接できる構成としてもよい。
【００４０】
また、上記実施例において、ネスティング時には、前後のベース部同士が並列するように左右にずらした状態で複数の陳列什器を前後に並べることで、後方の陳列什器の一方のベース部材を前方の陳列什器の開口部Ｓ内に入れる態様で説明したが、これに限らず、例えば、伸縮手段により前後の陳列什器の左右幅に相対的に差分を設け、一方の陳列什器の左右両方のベース部材を他方の陳列什器の開口部Ｓ内に入れるようにしてもよい。
【００４１】
また、各載置フレームの前傾角度は全て同一でなくともよく、前後の陳列什器同士の干渉を減らし、よりコンパクトにネスティングするためにそれぞれ適宜角度が設定されてもよい。
【００４２】
また、上記実施例の陳列什器は、３本の横杆部材と４段の載置フレームを備えた構成で説明したが、これに限らず、横杆部材は２本以上の複数本、載置フレームも２段分以上であればいくつ設けられていてもよいことはいうまでもない。
【符号の説明】
【００４３】
１                陳列什器
２                ベース部
３                支杆
４                載置フレーム
４ａ              載置フレーム本体部
４ｂ              載置フレームストッパー
４ｃ              載置フレーム立ち上がり片
４ｄ              載置フレーム外側面
５                支え部材
６                横杆部材
７                キャスタ
８Ａ              中子杆
８Ｂ              中子杆
９                中空杆
１０              陳列什器
１１              長孔
１２              ストッパー片
１３              ボルト
２０              ベース部材
３０              支杆
３０Ａ            前方側の枠
３０Ｂ            後方側の枠
４０              載置フレーム
６０              横杆部材
Ｃ                コンテナ
Ｄ                台車
Ｓ                開口部
【図１】
0006714991.tif 000002
【図２】
0006714991.tif 000003
【図３】
0006714991.tif 000004
【図４】
0006714991.tif 000005
【図５】
0006714991.tif 000006
【図６】
0006714991.tif 000007
【図７】
0006714991.tif 000008
【図８】
0006714991.tif 000009
【図９】
0006714991.tif 000010